Podtech/llm-jp-corpus-v4-ja_patent huggingface dataset:
(57)【要約】【課題】本考案は、対面キッチンを於ける高付加価値のＬ型カウンターの開発に係わるものである。【解決手段】本発明は芯材封入による施工性を向上及び、曲げ強度を向上。軽量化による意匠性向上、人工大理石で表面一体成形することでの高級感等、これまでにないタイプのＬ型体面キッチンカウンターを開発したものである。【特許請求の範囲】
【請求項１】
フラッシュパネル、合板等を芯材とし、全周ないしほぼ全周を人工大理石で包んだ耐水性、強度等に優れたＬ型対面キッチン用カウンター
【請求項２】
前項のカウンターの製法
【発明の詳細な説明】
【０００１】
【発明に属する技術分野】
キッチンの対面式Ｌ型カウンターについては、木質系芯材に大理石調等の印刷をしたシートを貼ったものか、集成材もしくは、つき板単板貼り集成材等が一般的であるが、いずれも耐水性、耐久性に難があった。また、天然大理石は形状的に一体では、無理があり継ぎ目の汚れ、及び重量が重くなり、張り出した形状では、ブラケット又は、支柱を設け支える必要が生じ、意匠的問題があった。また、人工大理石の場合もソリッドタイプは、重量面で同様の問題があり、また一体成形は、可能であるが形状的にＬ型では、曲げ強度に弱くなるため、製品化はほとんどされていなかった。唯一、人工大理石を薄く成型し、裏を合板等で補強した一体式軽量タイプカウンターが、前述のそれぞれの面をクリアーした高付加価値なものと言えるが、合板等が裏面に見えるため意匠的に問題があった。
【０００２】
【発明が解決しようとする課題】
重量を軽くし支柱の必要ない構造にすること、施工性を高めること、耐久性を持たせ、高級感にあふれる外観にする等、様々な面で付加価値の高いＬ型カウンターをめざした。
【０００３】
【課題を解決するための手段】
本発明は、軽量化・曲げ強度及び、施工性の向上の為、フラッシュ又は、合板・木材等を芯材とし、ネジ止めできるようにし、人工大理石を一体成形することで、表面の耐水性・耐久性を高めた。
芯材を内包した人工大理石は、実開昭４９−１４２９２０及び、実開昭６０−２５４５０にみられるように衆知の技術であるが、Ｌ型カウンターを一体成形したことに特徴がある。
【０００４】
【発明の実施の形態】
図１に示すようにＬ型の形状のカウンターであり、内部にフラッシュパネルもしくは、合板及び木材の芯材を内包した、全表面を人工大理石で成型した製品である。芯材に応力に対する耐力があるため、ムクの人工大理石に比べ、耐曲げ強度が強い。また一体成形の為、継ぎ目がないので、高級感がある。
【０００５】
図２（断面図）に示すように芯材の割合が多い為、例えばフラッシュパネル２４ｔ芯材、６ｍｍ人工大理石表面層の場合で、全体の比重は、１を切る軽さであり、その為ムクの人工大理石や天然大理石の場合のように下から支柱を支えるブラケットも必要としない。
【０００６】
図３に示すように型にコンパウンド（２液混合硬化樹脂及び石粉）を注型し芯材を浮かした状態で成型する。芯材を囲む人工大理石の厚みが均等になることで変形を防ぐ。
【０００７】
【発明の効果】
本発明によるＬ型カウンターは、芯材封入による施工性向上、曲げ強度向上の他、軽量化できることによるブラケット不要のデザイン性、表面部を人工大理石とすることによる耐水性耐久性の向上、Ｌ型を一体成形することによる高級化等、高付加価値なＬ型対面キッチンカウンターといえる。
【図面の簡単な説明】
【図１】本発明に係わる斜視図である。
【図２】本発明に係わる断面図である。
【図３】本発明の製法に係わる構造図である。
【符号の説明】
１          芯材（フラッシュパネル又は、合板、集成材等）
２          人工大理石
３          システムキッチン
４          キッチン壁
５          型
６          裏型
【図１】
2004148031.tif 000002
【図２】
2004148031.tif 000003
【図３】
2004148031.tif 000004
(57)【要約】【課題】従来のオーリングテストでは、第三者を介するため一人でテストすることが出来なかったが、一人で更に片手でできるようにすることを課題とする。【解決手段】片手の親指と他の指で作った輪の中で、圧縮機構４により開こうとする上部品１と下部品２を、ロック機構により圧縮状態で固定されている装置を残った指でロック機構部品３を操作することによりロック機構を解除し、検出装置を広げ指の筋力の度合いを判定し、生体内の情報を検出する。開いた検出装置は再び指で輪を作ることにより、上下部品が押し戻され、ロック機構部品も位置決め機構５により、上下部品が押し戻される際に自動的に作動し、圧縮状態で固定される。【選択図】  図１
2004148072.tif 000002
【特許請求の範囲】
【請求項１】
片手の親指と他の指で作った輪の中に、圧縮機構４により開こうとする上部品１と下部品２をロック機構により圧縮状態で固定されている状態にあるものを、残っている指でロック機構部品３を操作することによりロック機構を解除し、検出装置を広げ指の筋力を支配している脳信号を判定することで、生体内の情報を検出する装置で、開いた検出装置は再び指で輪を作ることにより、上下部品が押し戻され、ロック機構部品３も位置決め機構５により、上下部品が押し戻される際に自動的に作動し、圧縮状態で固定される。
【発明の詳細な説明】
【０００１】
【発明の属する技術分野】
本発明は、筋トーヌスを利用した生体センサーテストにより生体内の情報を指の筋力変化として検出する、オーリングテスト又は、バイディジタルオーリングテストの技術に関する。
【０００２】
【従来の技術】
従来のオーリングテストでは、被検者が作った指の輪を、第三者である検者の両手の指によって開くことにより判定していた。
【０００３】
【発明が解決しようとする課題】
しかし、従来のオーリングテストでは、第三者を介するため一人でテストすることが出来なかった。
そこで、本発明は第三者の力を借りることなく一人で、更に片手でできるようにすることを課題とする。
【０００４】
【課題を解決するための手段】
上記課題を解決するために、請求項１記載の検出装置は、片手の親指と他の指で作った輪の中に、圧縮機構４により開こうとする上部品１と下部品２をロック機構により圧縮状態で固定されている状態にあるものを、残っている指でロック機構部品３を操作することによりロック機構を解除し、検出装置を広げ指の筋力を支配している脳信号を判定することで、生体内の情報を検出する装置で、開いた検出装置は再び指で輪を作ることにより、上下部品が押し戻され、ロック機構部品３も位置決め機構５により、上下部品が押し戻される際に自動的に作動し、圧縮状態で固定される。
【０００５】
【発明の効果】
本発明は以上に説明したような構成により次のような効果を奏する。
請求項１に記載されている発明は簡単で便利なので、いつでもどこでも一人で、片手で生体センサーテストをすることにより、良いものと悪いものが判別可能になり、人類と環境のために有効な装置となる。
【図面の簡単な説明】
【図１】指で輪を作っている状態の検出装置の縦断面図である。
【図２】ロック機構を解除したことにより、指が開いた状態の縦断面図である。
【符号の説明】
１．上部品
２．下部品
３．ロック部品
４．圧縮機構部
５．位置決め部品
【図１】
2004148072.tif 000003
【図２】
2004148072.tif 000004
(57)【要約】【課題】本発明は、車椅子にテーブル板を固着しても自由な動きが得られ、テーブル板上での食事や作業等に最適なスペースとなり、乗られる人の動きや震動が生じても、確りと肘掛フレーム上にテーブル板が固定し、車椅子に乗る身障者の前方転倒を防止となり、テーブルに載置した物が転落しないよう防止した車椅子用多目的テーブル板を得る。【解決手段】四辺形である平板の上面三方の板端に転落防止枠を設け、平板の後方となる一辺を欠成し、弾発材を取り付けた半円形状の半円当接部を設け、平板の両側後端にベルトの両端を取り付け、平板の裏面の後方両側にフレーム掛止フックを取り付けた。【選択図】  図１
2004148077.tif 000002
【特許請求の範囲】
【請求項１】
四辺形である平板の上面三方の板端に転落防止枠を設け、平板の後方となる一辺を欠成し、弾発材を取り付けた半円形状の半円当接部を設け、平板の両側後端にベルトの両端を取り付け、平板の裏面の後方両側にフレーム掛止フックを取り付けた車椅子用多目的テーブル板。
【請求項２】
前記平板がＭＤＦ材の複数の合板であって、平板の軽量化と強度化を図った請求項１記載の車椅子用多目的テーブル板。
【請求項３】
前記平板に設けた半円当接部及びベルトとフレーム掛止フックそれぞれの機能により、車椅子に乗る身障者の前方転倒を防止する請求項１、２記載の車椅子用多目的テーブル板。
【発明の詳細な説明】
【０００１】
【発明の属する技術分野】
本発明は、車椅子用多目的テーブル板に関する。
【０００２】
【従来の技術】
従来、車椅子用テーブル板は裏面にマジックテープを取り付けた物があり、マジックテープを車椅子の肘掛フレームに巻着するものがあった。
【０００３】
【発明が解決しようとする課題】
従来の車椅子用テーブル板では、マジックテープで車椅子の肘掛フレームに巻着し、テーブル板の固定をしていたが、肘掛フレームに巻着する方法では、上下の固定には有効であるが、前後の固定は車椅子に乗られる人の動きや震動で、マジックテープが滑り易い状況となり、身障者がの前方転倒する危険性や、テーブル板が前方にズレ落ちる問題があった。
【０００４】
本発明は、車椅子にテーブル板を固着しても自由な動きが得られ、テーブル板上での食事や作業等に最適なスペースとなり、乗られる人の動きや震動が生じても、確りと肘掛フレーム上にテーブル板が固定し、車椅子に乗る身障者の前方転倒を防くとともに、テーブルに載置した物が転落しないよう防止した車椅子用多多目的テーブル板の提供を目的とするものである。
【０００５】
【課題を解決するための手段】
前記の課題を達成するため、四辺形である平板の上面三方の板端に転落防止枠を設け、平板の一辺を欠成し、弾発材を取り付けた半円形状の半円当接部を設け、平板の両側後端にベルトの両端を取り付け、平板の裏面の後方両側にフレーム掛止フックを取り付けた手段を講じている。
【０００６】
また、四辺形である平板がＭＤＦ材の複数の合板であって、平板の軽量化と強度化を図っている。
【０００７】
また、平板に設けた半円当接部及びベルトとフレーム掛止フックそれぞれの機能により、車椅子に乗る身障者の前方転倒を防止となる。
【０００８】
【発明の実施の形態】
発明の実施の形態を実施例にもとづき図面を参照して説明する。
図１〜図２で示す実施例では、四辺形である平板１の上面三方の板端に転落防止枠２を設け、平板１の一辺を欠成し、ＥＶＡ樹脂によるクッション３を取り付けた半円形状の半円当接部４を設け、平板１の両側後端にベルト５の両端を取り付け、平板１の裏面の後方両側にフレーム掛止フック６を取り付けている。
【０００９】
そして、四辺形である平板１がＭＤＦ材を使用し、複数の板を貼り合せた合板であって、平板１の軽量化と強度化を図っている。
【００１０】
前記のような構成により、図３で示す実施例では、平板１の裏面の後方に設けたフレーム掛止フック５を、車椅子７の肘掛フレーム８に掛着し、さらに平板１の後端両側に取り付けたベルトを、車椅子７の後部フレーム９ごと巻着して平板１が前後に動かないようにし、車椅子７に乗る身障者の前方転倒を防止となり、さらに平板１に載置した物の転落を防ぐため板端に転落防止枠２を設けている。
【００１１】
【発明の効果】
本発明の車椅子用多目的テーブル板では、平板１の裏面に設けたフレーム掛止フック８で平板１が上下方向での固定がされ、前後の固定方法として平板１の両側後端に取り付けたベルト５を用いたことで、車椅子７に乗る身障者の前方転倒を防止となり、テーブル板が前方にズレ落ちるコトなく、安心して食事や作業に利用できるようになる。
【００１２】
【図面の簡単な説明】
【図１】本発明の実施例を示す斜視図である。
【図２】本発明の平板１の裏面での実施例を示す斜視図である。
【符号の説明】
１  平板
２  転落防止枠
３  クッション
４  半円当接部
５  ベルト
６  フレーム掛止フック
７  車椅子
８  肘掛フレーム
９  後部フレーム
【図１】
2004148077.tif 000003
【図２】
2004148077.tif 000004
【図３】
2004148077.tif 000005
【手続補正書】
【提出日】平成15年9月18日(2003.9.18)
【手続補正１】
【補正対象書類名】明細書
【補正対象項目名】図面の簡単な説明
【補正方法】変更
【補正の内容】
【図面の簡単な説明】
【図１】本発明の実施例を示す斜視図である。
【図２】本発明の平板１の裏面での実施例を示す底面図である。
【図３】本発明の車椅子用多目的テーブル板を車椅子に取り付けた実施例を示す側面図である。
【符号の説明】
１  平板
２  転落防止枠
３  クッション
４  半円当接部
５  ベルト
６  フレーム掛止フック
７  車椅子
８  肘掛フレーム
９  後部フレーム
(57)【要約】【課題】主婦の苦手な食事後の落ちにくい食器の汚れを解消するために、従来の散水ノズルにジャバラパイプとカバーを取り付けた器具を提案する。【解決手段】従来の散水ノズル▲２▼にジャバラパイプ▲１▼とノズルの先にカバー▲３▼を取り付け水圧で水が飛び散らない様にするために洗い桶に水を入れ、その中で泡だたせ、その泡で食器の落ちにくい汚れを落とすようにする。【選択図】  図１
2004148080.tif 000002
【特許請求の範囲】
【請求項１】
従来の散水ノズルに、ジャバラパイプとノズルの先にカバーを取り付けることによって水圧で泡を起こし、その泡で食事後の食器の汚れを落とす自由自在水圧泡洗浄器。
【発明の詳細な説明】
【０００１】
【発明の属する技術分野】
本発明は、食事後の汚れた食器を水を入れた洗い桶の中に入れ、水圧で泡だたせ、水が飛び散らない様に早く汚れを落とす様にしたものである。
【０００２】
【従来の技術】
従来は、水が飛び散るので水圧で泡を起こして、その泡で汚れを落とす器具はなかった。
【０００３】
【発明が解決しようとする課題】
食事後の食器の洗い物は、落ちにくいので、多くの主婦が苦手な作業であった。水道管の水圧だけでは、汚れが落ちず、時間がかかった。散水ノズルで洗えば水圧が強く水が飛び散り周囲を汚し使い物にならなかった。この課題を解消するためになされたものである。
【０００４】
【課題を解決するための手段】
散水ノズル▲２▼にジャバラパイプ▲１▼を装着する事によって流し台の隅々まで洗え、またノズル▲２▼の先にカバー▲３▼を装着する事によって水の飛び散るのを防げた。
【０００５】
【発明の実施の形態】
以下、本発明の実施の形態について説明する。
（イ）．  散水ノズル▲２▼にジャバラパイプ▲１▼を取り付ける。
（ロ）．  散水ノズル▲２▼の先にカバー▲３▼を取り付ける。
【０００６】
【発明の効果】
カレー鍋やザルなどの取れにくい汚れが早く取れ、水を入れた洗い桶などで洗うので、水が１００％飛び散らず洗浄中でも、手に泡が当たり血行がよくなり気持ちがよい。
【図面の簡単な説明】
【図１】本発明の正面図である。
【図２】本発明の使用状態を示す使用実施図である。
【符号の説明】
▲１▼ジャバラパイプ
▲２▼散水ノズル
▲３▼カバー
【図１】
2004148080.tif 000003
【図２】
2004148080.tif 000004
(57)【要約】【目的】歯科鋳造用陶材焼付貴金属合金の金の含有量を９３％以上にすることによって、金属の表面に陶材を焼付けた際、金属表面に黒色の酸化膜の生成がなく陶材の色調を美しく自然に色調を作ることができる。また、そのために歯牙の削除量を減らすことができ、歯牙に対するダメージを軽減することができる。【構成】金の含有量を９３％以上とし、他は白金、インジュウム等を含ませる。【選択図】  図１
2004148076.tif 000002
【特許請求の範囲】
【請求項１】
金の含有量が９３％以上を占める歯科鋳造用陶材焼付貴金属合金。
【発明の詳細な説明】
【０００１】
【産業上の利用分野】
この発明は金の含有量が９３％以上を占める歯科鋳造用陶材焼付貴金属合金である。
【０００２】
【従来の技術】
従来のものは、金の含有量が９３％以下であり陶材を金属に焼き付けると金属の表面に酸化膜が生じ黒変し、陶材の色調を阻害した。
また、その黒い酸化膜を遮蔽するために不透明オペーク材を厚めに焼き付けなければならないため、陶材層全体が厚くなり、その分、余分に歯質を削らなければならなかった。
【０００３】
【発明が解決しようとする課題】
本発明は、このような問題点を解決するために、金の含有量を多くし金属が陶材を焼き付けても黒い酸化膜がでないようにできないかと研究を重ねた。
【０００４】
【課題を解決するための手段】
その結果、金の含有量を９３％以上にすることによって、金属に陶材を焼き付けても金属の表面に黒い酸化膜ができないようにすることができた。
【０００５】
【発明の結果】
したがってこの発明のもたらす利益としては
（１）陶材の色調を阻害することなく美しい歯の色調を再現することができた。
（２）よって歯の削除が減り、歯にダメージを与えることが少なくなった。
【図面の簡単な説明】
【図１】金属焼付ポーセレンクラウンの断面図である。
【符号の説明】
１．ポーセレン（陶材）
２．酸化膜
３．金属
４．歯牙
【図１】
2004148076.tif 000003
(57)【要約】【課題】錠剤の薬をのむ時に、より確実かつ容易に服用できるコップを提供する。【解決手段】任意の容器（１）の内側の上部に網状のフィルター壁（２）を設けたことを特徴とする。【選択図】図１
2004148078.tif 000002
【特許請求の範囲】
【請求項１】
任意の容器（１）の上部開口縁に沿ってフィルター壁（２）を設けた錠剤服用コップ。
【発明の詳細な説明】
【０００１】
【発明の属する技術分野】
この発明は錠剤を容易に服用する際に使用するコップに関するものである。
【０００２】
【従来の技術】
従来、錠剤の薬を服用するときは、片手の手のひらに取り出した錠剤をのせ、錠剤を口に含んだ後、反対側の手に持ったコップの水を口内に流し込んでいた。
【０００３】
【発明が解決しようとする課題】
これには次のような欠点があった。
（イ）服用しようとする錠剤が指の間からこぼれ落ちたり、指の間に挟まったりして煩わしかった。
（ロ）服用しようとする錠剤を舌にのせると、薬の味がして苦痛であった。
（ハ）服用しようとする錠剤が口の中で水と一体にならず飲みにくかった。
本発明は、以上の欠点を解決するためになされたものである。
【０００４】
【課題を解決するための手段】
任意の容器（１）の上部開口縁に沿った部位に網状のフィルター壁（２）を設ける。
以上の構成からなる錠剤服用コップ。
【０００５】
【発明の実施の形態】
以下、本発明の実施の形態を説明する。
水を入れる為の任意の容器（１）の内側、上部に細かい網状のフィルター壁（２）を取り付けることにより、液体を注ぐ容器と錠剤を保持部する部位とに仕切る。
本発明は以上のような構造でこれを使用するときは、容器（１）に水等の液体を注ぎ、次に容器（１）の側面とフィルター壁（２）によりつくられた錠剤保持部に服用しようとする錠剤を入れる。そして、フィルター壁（２）の取り付けられた上部より口をつけて容器を傾けることにより、フィルター壁（２）を通ってきた液体とフィルター壁（２）によって保持されていた錠剤が一体になり服用することができる。
なお図３に示すように、容器（１）に取り付け溝（３）を設け、洗浄性、運搬性が良いようにフィルター壁（２）を脱着式にしてもよい。
【０００５】
【発明の効果】
本発明を使用することによって、薬の苦い味を感じることなく錠剤をスムーズに服用することができる。
また、片手が不自由な障害者も両手を使わなくても錠剤を服用できる。
【図面の簡単な説明】
【図１】本発明の斜視図
【図２】本発明の中心部の縦断面図
【図３】本発明の他の実施例を示す断面図
【図４】本発明の使用状態を示す図
【符号の説明】
１    容器
２    フィルター壁
３    取り付け溝
【図１】
2004148078.tif 000003
【図２】
2004148078.tif 000004
【図３】
2004148078.tif 000005
【図４】
2004148078.tif 000006
(57)【要約】      （修正有）【課題】手指などを消毒する場合において、消毒液としてオゾン水を製造してそれを霧化して消毒に利用することにより、少量のオゾン水で効果的、効率的に消毒でき、小型で設置容容易な消毒器を提供する。【解決手段】本体に装着する脱着可能な水をいれる容器１、水位自動調整機能を備えた水供給装置３そして間欠機能を有するオゾン発生器用電源装置、空気乾燥器１０、空気圧縮ポンプ機能を備えたオゾンガス発生装置６およびオゾン水製造槽８、またオゾン水霧化装置２２さらに送風機能、手近接センサー２０を備えた霧化オゾン水供給装置１９、からなり霧化オゾン水供給装置１９より放出する微粒子オゾン水により手指を消毒する。また排気オゾンガスを無害化して排出することを特徴とする手指消毒器。【選択図】図３
2004148075.tif 000002
【特許請求の範囲】
【請求項１】
手指などを消毒する場合に空気よりオゾンを発生させ、備え付け容器の水と混合し作成したオゾン水を微粒子にして手に受け消毒することを特徴とする消毒器。
【発明の詳細な説明】
【０００１】
【発明の属する技術分野】
この発明は手指を消毒する場合において、空気と高電圧を用いてオゾンを発生させ、水と混合、オゾン水を作成し、そのオゾン水を霧化（微粒子化）して手指等の被消毒物を消毒する消毒装置に関するものである。
【０００２】
【従来の技術】
従来、この種の消毒方法は主にオゾン水を製造する為の水の供給は水道水等を用いるために配管を用いる。また手指の消毒に使用した後のオゾン水は排水装置などの配管により排水する方式である。
【０００３】
【発明が解決しようとする課題】
従来消毒用オゾン水を製造するための水としては水道水などを使用する方式のために供給水の配管などを必要とし、また流水手洗いによる消毒方法のために使用後または消毒に寄与しなかった消毒液（オゾン水）を排出する排水装置の必要があり、この種の消毒器は設置場所に制約が多かった。
本発明は備え付け容器から供給される水と空気から発生させたオゾンガスによりオゾン水を作成し、それを霧化（微粒子化）して消毒液として使用することにより少量で効果的に手指を消毒する。また消毒に寄与しなかった霧化オゾン水は自然に気化し消滅するために給排水装置が不要になることで、上記のような欠点を解決するためになされたものである。
【０００４】
【発明が解決しようとする手段】
当該消毒器は、第１図に示すように脱着、携帯可能な水を入れる容器を装着した水供給装置、オゾンガス発生装置、オゾン水製造槽、オゾン水霧化装置、霧化オゾン水供給装置、および使用済みオゾンガスを無害化して排気するオゾンガス無害化装置を設けた構造とする。
【０００５】
【作用】
本消毒器においてはオゾン発生器において大気中酸素よりオゾンガスを作成し、備え付けた容器からの水と反応させオゾン水を作成し消毒液とする。そのオゾン水を微粒子化（霧化）して手指に付着しやすく、また手に受けやすいように霧化オゾン水供給装置より集中放出し手指の消毒として使用する。また消毒に寄与しなかった微粒オゾン水は大気中で気化し消滅する。なお使用済みオゾンガスは触媒、活性炭に作用させ無害化して排気する。
【０００６】
【実施例】
以下、本消毒器ではオゾン水霧化装置に超音波霧化器を使用する実施例について説明する。第２図に示すように本消毒器には、脱着、携帯可能な水容器を装着した水供給装置そして間欠機能を有する電源、空気乾燥器、吸入空気を圧縮するポンプを備えたオゾンガス発生装置およびオゾン水製造槽、さらに駆動装置を備えた超音波振動子を装着したオゾン水霧化装置、また送風機能、接近センサーを備えた霧化オゾン水供給装置およびオゾンガス無害化装置などを備えた構成とする。
本消毒器の動作において、本体に装着された容器の水は水供給装置を通じてオゾン水製造槽の適量レベルまで満たされる。また外気をポンプで加圧した乾燥空気がオゾン発生器に送られオゾンガスとなりオゾン水製造槽に噴出し水と混合、オゾン水が製造されオゾン水製造槽に保存される。
消毒動作は霧化オゾン水供給装置前面に手を近接するとセンサーが感知しオゾンガス発生装置、超音波霧化装置、霧化オゾン水供給装置を作動させることでオゾン水製造槽のオゾン水は霧化され、オゾン水供給装置ノズルより放出される。それを手に受け擦りつける様にして消毒する。また消毒に寄与しなかった霧化オゾン水は落下中に大気中で自然に気化して消滅する。なおオゾン水製造過程においてオゾン水製造に寄与しなかったオゾンガスはオゾンガス無害化装置の触媒、活性炭の作用により無害化して大気中に排出する。またオゾン水製造槽内オゾン水のオゾン濃度は一定間隔および使用頻度に応じて自動的にオゾンガス発生装置を作動させ濃度を保持する。
超音波霧化器によるオゾン水の霧化粒子の大きさは超音波振動子の振動周波数で可変可能なことより消毒に効果的でまた消毒に寄与しない粒子が地上に落下するまで気化する振動子と周波数を選択する。尚オゾン水霧化装置は霧発生ノズルなど他の霧化方式を用いることも可能である。
【０００７】
【発明の効果】
本技術によれば消毒液として製造、霧化したオゾン水粒子を手に受けて消毒するために少量のオゾン水で効果的に消毒行為が出来る。また消毒に寄与しない霧化オゾン水粒子は自然に大気中で気化し消滅するために給水、排水用配管が無用となる。また小型化が可能で設置も容易であり、かつ消耗し補充するのは水のみで経済的である。
【図面の簡単な説明】
【図  １】本消毒器の動作説明図である。
【図  ２】本消毒器の実施例を示す断面略図である。
【図  ３】本消毒器の実施例を示す断面略図である。
【０００８】
【符号の説明】
１．水容器（取り外し可能）              １５．超音波振動子
２．水                                  １６．オゾン水
３．水供給装置                          １７．放散用空気出口
４．容器キャップ                        １８．霧化器用調整板
５．水供給弁                            １９．霧化オゾン水供給装置
６．オゾンガス発生装置                  ２０．手近接センサー
７．オゾンガス                          ２１．霧化オゾン水出口
８．オゾン水製造槽                      ２２．超音波オゾン水霧化装置
９．オゾン発生器                        ２３．排気ガス出口
１０．空気乾燥器（シリカゲル）            ２４．オゾン分解用触媒、活性炭
１１．空気圧縮ポンプ                      ２５．オゾンガス無害化装置
１２．放散用空気取り入れ口                ２６．
１３．送風ファン
１４．超音波振動子駆動電源
【図１】
2004148075.tif 000003
【図２】
2004148075.tif 000004
【図３】
2004148075.tif 000005
(57)【要約】【課題】身体を楽に洗える【解決手段】駆動モ−タ−（４）にスプライン（１８）を接続し、回転ブラシ（３）内側にベアリング（１６）を取り付け螺旋状の台（１５）の上を移動できる構造の回転ブラシ（３）をスプライン部（１８）に嵌合させ、上下運動と回転運動を同時に行う。【選択図】    図７
2004148096.tif 000002
【特許請求の範囲】
【請求項１】
上下に動きながら回転し、足から肩の範囲を上下に移動して身体を洗う回転ブラシ。
【発明の詳細な説明】
【０００１】
【発明の属する技術分野】
本発明は、駆動モ−タ−（４）により回転される回転ブラシ（３）と回転ブラシ（３）の内側に備えた装置により、上下運動を行うその製造方法に関する。
【０００２】
【発明が解決しようとする課題】
従来のタオルでは、自分から手を動かして身体を洗うと言う疲れる点があった。
【０００３】
本発明は縦に２本あるパイプを両手で持って、身体の前全体を洗うときは右側の上下スイッチ（１０）を上げ下げし、身体の後ろを洗うときは左側の上下スイッチ（１１）を上げ下げし身体を一通り洗うことを目的として、その製造方法を提供することを目的としている
【０００４】
【課題を解決するための手段】
上記目的を達成するために本発明の身体洗い機は、風呂場の洗い場でコンパクとな身体洗い機を取り付けたものである。
【０００５】
駆動モ−タ−（４）は防水で連結部は、回転運動と上下運動になるので固定ではなく嵌合を使用。回転ブラシ（３）は中心軸（１７）と外筒とはド−ナツ型の大きな円盤（３５）を間に挟んで上部に１本、下部に１本ボルトで貫通している。ブラシの材質は馬の毛を現在使用。試作で使用しているが、手で洗っている感覚に近い。特に背中の洗い具合が良い。
【０００６】
【発明の実施の形態】
発明の実施の形態を実施例に基づき図面を参照して説明する。
上下に移動できるコの字型フレ−ム（１４）の底板に固定された駆動モ−タ−（４）はスプライン回転軸（１８）を介してその上に乗っている回転ブラシ（３）を回転させる。
回転ブラシ（３）は駆動モ−タ−（４）と回転ブラシの回転軸（１７）の間のスプライン回転軸（１８）にスプリング（１９）を巻き付けているので、そのバネによって回転ブラシ（３）は上に跳ね上がっている。上板には螺旋状の台（１５）があって、回転ブラシ（３）に取り付けられたベアリング（１６）がその螺旋状の台（１５）に沿って移動するので、駆動モ−タ−（４）が回転を始めると回転ブラシ（３）は上下に動きながら回転を始める。
上板にはベアリング（２２）の付いたセンタ−ボルト（２１）が回転ブラシ（３）の中心軸となっている。コの字型フレ−ム（１４）の後方には上下に固定輪（１２）を取付け、前方左右上下に４ケのスライドリング（６）（７）を取付け、上下移動を円滑に前後左右にはみださないようになっている。本体フレ−ムの上板には、コの字型フレ−ム（１４）を上下させる駆動モ−タ−（２３）とロ−プを巻き上げるプ−リ−（２４）（２５）とギヤ−（３１）（３２）が組み付けられている。全体の重心が少し外側にあるのでバランスウェイト（１３）を取り付けている。
【図面の簡単な説明】
【図１】身体洗い機全体の斜視図である。
【図２】身体洗い機の平面図である。
【図３】身体洗い機の立面図である。
【図４】身体洗い機上部のギヤ−ボックス内部の平面図である。
【図５】身体洗い機の側面図である。
【図６】螺旋状の台の斜視図である。
【図７】回転ブラシの縦断面図である。
【図８】回転ブラシ下部のスプライン部の伸びた状態の斜視図である。
【図９】回転ブラシ下部のスプライン部の縮んだ状態の斜視図である。
【図１０】回転ブラシの横断面図である。
【符号の説明】
１  パイプフレ−ム
２  ギヤ−ボックス
３  回転ブラシ
４  駆動モ−タ−
５  コの字型フレ−ム支柱
６  コの字型フレ−ム上側スライドリング
７  コの字型フレ−ム下側スライドリング
８  フロント吊り下げロ−プ
９  リヤ−吊り下げロ−プ
１０  右側洗車ブラシ上下スイッチ
１１  左側洗車ブラシ上下スイッチ
１２  後側固定輪
１３  バランスウェイト
１４  コの字型フレ−ム
１５  螺旋状の台
１６  ベアリング
１７  固定軸
１８  スプライン
１９  圧縮スプリング
２０  駆動モ−タ−とスプラインの接続部
２１  固定軸のセンタ−ボルト
２２  ベアリング
２３  巻き上げ巻き下げ駆動モ−タ−
２４  フロント吊り下げ用プ−リ−
２５  リヤ−吊り下げ用プ−リ−
２６  駆動モ−タ−（４）の電源コ−ド巻き上げ用プ−リ−
２７  駆動モ−タ−（４）の電源コ−ド
２８  フロントロ−プ通し穴
２９  リヤ−ロ−プ通し穴
３０  駆動モ−タ−（４）の電源コ−ド通し穴
３１  駆動モ−タ−用ギヤ−
３２  巻き上げプ−リ−用ギヤ−
３３  スライドレ−ル
３４  巻き込み防止カバ−
３５  円盤
【図１】
2004148096.tif 000003
【図２】
2004148096.tif 000004
【図３】
2004148096.tif 000005
【図４】
2004148096.tif 000006
【図５】
2004148096.tif 000007
【図６】
2004148096.tif 000008
【図７】
2004148096.tif 000009
【図８】
2004148096.tif 000010
【図９】
2004148096.tif 000011
【図１０】
2004148096.tif 000012
(57)【要約】【課題】場所をとらず補助具なしでまな板のスベリ止め効果を高め、表と裏を清潔に保ち水切りを良くし、まな板の機能を充実させたまな板を提供することにある。【解決手段】まな板１に隅の球状の足２を四隅に、長手のまな板では、中間の球状の足３を中間位置の２箇所にそれぞれ取りつける。【選択図】          図１
2004148082.tif 000002
【特許請求の範囲】
【請求項１】
まな板の四隅に球状の足を設け、まな板を球状の足で支えることを特徴とした球状の足付まな板
【請求項２】
長手のまな板については、複数個の球状の足を中間に設け、まな板を球状の足で支えることを特徴とした球状の足付まな板
【発明の詳細な説明】
【０００１】
【発明に属する技術分野】
本説明は、まな板使用時の安全性とまな板の機能性並びに清潔性の向上を図るための台所用品に関するものである。
【０００２】
【従来の技術】
従来のまな板では、調理時にスベリ止め効果を高めるために補助具でトレーの底に耐久性ゴム等を使用していた。
【０００３】
又調理時には、表と裏を清潔に保つためトレー等の補助具を使用していた。
【０００４】
まな板使用後の水切りは、補助具としてまな板立て又は水切り棚等を使用していた。
【０００５】
【発明が解決しようとする課題】
従来のまな板の補助具に有っては、補助具を管理するのに多大の手間が掛かり補助具の保管場所もなく多くの問題点があった。
【０００６】
本発明は、場所をとらず補助具なしでまな板のスベリ止め効果を高め、表と裏を清潔に保ち、さらに水切りを良くしまな板の機能を充実させたまな板を提供することにある。
【０００７】
【課題を解決するための手段】
上記の課題を解決するための本発明は、請求項１のまないたの四隅に球状の足を設け、まな板を球状の足で支えることを特徴とするものである。
【０００８】
請求項２の長手のまな板については、複数個の球状の足を中間に設け、まな板を球状の足で支えることを特徴とするものである。
【０００９】
まな板を支える球状の足は、まな板と一体成形型構造でも良く、まな板と異質の材質に付いては、はめ込み式の成形加工品のものが望ましい。固着方法については、接着剤又はビス止め等で固定する。また、大きさに付いては、まな板を支える大きさであれば適当で良く、材質では摩擦抵抗の大きいもので弾力性に富み、しかも耐久性があり腐食しない材質で加工性が良いもので有れば何でも良い。（例えばシリコンゴム等）
【００１０】
【発明の実施の形態】
発明の実施の形態を実施例に基づき図面を参照して説明する。
図１に示される実施例ではまな板１に隅の球状の足２を四隅に、又長手のまな板では中間の球状の足３を、中間位置の二箇所にそれぞれとりつけられたまな板の斜視図をしめす。
【００１１】
図２に示される実施例では、はめ込み式成形加工品とし、まな板１に中間の球状の足３をはめ込み接着剤で固着した状態図を示す。（本件は長手のまな板の時、まな板のタワミ防止の為取りつけるものとする。）
【００１２】
図３に示される実施例では、はめ込み式成形加工品でまな板１に隅の球状の足２を、はめ込み接着剤で固着した状態図を示す。
【００１３】
【発明の効果】
本発明は、以上説明したように構成されているので、以下に記載されるような効果を奏ずる。
【００１４】
図４に示される発明の効果を示す平面図では、まな板１にスベリ止め効果のある隅の球状の足２を取りつけたことで、調理台９との摩擦抵抗により動かず、安定した状態で使用できる。
【００１５】
図５に示される発明の効果を示す正面図では、まな板１は隅の球状の足２により支えられているため、まな板１と調理台９との間で隙間８が生じ空いているので、まな板の表５とまな板の裏６は調理台９と接触することもなくいつも清潔であり屋内を問わずピクニック等の屋外でも使用できる。
【００１６】
同じく図５の包丁４で調理する時、包丁の力７は隅の球状の足２のクッションン効果により、力は分散し吸収されるため長時間作業時には疲労が少なく包丁の音もきわめて静かである。
【００１７】
図６に示される発明の効果を示す立て掛け図では、まな板使用後にまな板１を調理台の壁１０に立て掛けた時、まな板１の重みは、まな板下面の隅の球状の足２に加わり、調理台との摩擦抵抗によるスベリ止め効果で動かず、倒れることがない。
【００１８】
同じく図６の水切りの時、まな板１の水の流れ１１は隅の球状の足２に沿って素早く流れるため水切りが早い。又まな板は球状の足で支えているのでまな板１の下面を汚すことがなく、乾燥も早く衛生的である。
【００１９】
図７は発明の効果を示す落下図である。万一のまな板１を落とした時、まな板コーナでの落下時、まな板の力１２は隅の球状の足２のクッション効果により床１３を損傷することもなく、万一人の足に当っても損傷も少なく極めて安全である。
【図面の簡単な説明】
【図１】球状の足付まな板の実施例を示す斜視図である。
【図２】中間に球状の足を取付けた実施例を示す。（長手のまな板の時、取り付ける。）
【図３】隅に球状の足を取付けた実施例を示す。
【図４】球状の足付まな板の発明の効果を示す平面図である。
【図５】球状の足付まな板の発明の効果を示す正面図である。
【図６】球状の足付まな板の発明の効果を示す立て掛け図である。
【図７】球状の足付まな板の発明の効果を示す落下図である。
【符号の説明】
１  まな板
２  隅の球状の足
３  中間の球状の足（長手のまな板の時、取り付ける。）
４  包丁
５  まな板の表
６  まな板の裏
７  包丁の力
８  隙間
９  調理台
１０  調理台の壁
１１  水の流れ
１２  落下時のまな板の力
１３  床
【図１】
2004148082.tif 000003
【図２】
2004148082.tif 000004
【図３】
2004148082.tif 000005
【図４】
2004148082.tif 000006
【図５】
2004148082.tif 000007
【図６】
2004148082.tif 000008
【図７】
2004148082.tif 000009
【手続補正書】
【提出日】平成14年12月13日(2002.12.13)
【手続補正１】
【補正対象書類名】明細書
【補正対象項目名】０００１
【補正方法】変更
【補正の内容】
【０００１】
【発明に属する技術分野】
本発明は、まな板使用時の安全性とまな板の機能性並びに清潔性の向上を図るための台所用品に関するものである。
(57)【要約】      （修正有）【課題】大型の模型ロケットを推力の弱いロケットエンジンで打ち上げ、ゴム動力を用いてエンジンの分離を積極かつ確実にする。【解決手段】ロケット本体（１）を凧のように割竹（５）と発泡スチロール板（７）の骨組みで作り紙（８）を貼って、ロケット下部に押し出し板（３）のついたゴムひも（４）を取り付けた、筒２を取り付け、ロケットエンジン（６）が噴射終了後、筒（２）から押し出されて分離する事を特徴とする。【選択図】図１
2004148085.tif 000002
【特許請求の範囲】
【請求項１】
ロケット本体を凧のように割竹（５）と発泡スチロール板（７）の骨組みに紙（８）を貼って軽くつくり、下部に押し出し板（３）のついたゴムひも（４）を取り付けた筒（２）を取り付け、筒（２）内のロケットエンジン（６）の噴射が終了した時、ロケットエンジン（６）が筒（２）から押し出され分離するようにしたロケットエンジン自動分離凧ロケット。
【発明の詳細な説明】
【０００１】
【発明の属する技術分野】
この発明はロケット本体をできる限り軽く作り下部にロケットエンジンが分離するための筒を取り付け内部に押し出し板のついたゴムひもを取り付け、エンジン噴射終了後分離するロケット玩具に関するものである。
【０００２】
【従来の技術】
従来の飛ばせる玩具ロケットは推力が弱い割に相対的に重かった。
従来の玩具ロケット本体の分離はノーズコーンがロケットの姿勢変化で外れるものであった。
【０００３】
【発明が解決しようとする課題】
従来の玩具ロケットには次のような欠点があった。
イ）推力が弱く重いので大型ロケットを飛ばすのが非常に困難であった。
ロ）分離をするのにロケットの姿勢変化を利用するので極めて外れやすい構造になっておりロケットエンジン噴射終了前に分離してしまう恐れがあった。
本発明はこれらの欠点を除くためなされた。
【０００４】
【課題を解決するための手段】
ロケット本体（１）を凧のように割竹（５）と発泡スチロール板（７）の骨組みに紙（８）を貼ってできる限り軽くつくり、ロケット下部に押し出し板（３）のついた、ゴムひも（４）を取り付けた筒（２）を取り付け、ロケットエンジン（６）の噴射が終了した時、ロケットエンジン（６）が筒（２）から押し出されて分離するようにする。
【０００５】
【発明の実施の形態】
以下本発明の実施の形態について説明する。
イ）、極めて軽く凧のように作った、ロケット本体（１）の下部にロケットエンジン（６）を押し出す筒（２）を取り付けロケットエンジン（６）が噴射終了後筒（２）から押し出すようにする。
ロ）、本発明を使用する時は、筒（２）の中へロケットエンジン（６）を押し込み発射台に立てる。
するとロケット本体（１）の重みで筒（２）がロケットエンジン（６）にかぶさる。ロケット発射でエンジン（６）が押し出し板（３）を押し上げて行き、ロケットが上昇する。
噴射が終了すると押し出し板（３）が、エンジン（６）を押しだして分離する。
【０００６】
【実施例】
本発明を割竹（５）を用いず、紙の筒そのものを骨組みとする場合、図３のごとく、紙の筒内に発泡スチロール板（７）を取り付ける。
本発明を超大型にする場合図４のごとく発泡スチロール板（１０）のようにまるめて筒にして中に発泡スチロール板（９）を取り付け作る。
図５のごとく押し出し板（１３）をバネ（１２）で押し出す事もできる。
図６のように支持棒（１５）に取り付けた押し出し板（１６）をゴムひも（１４）で押す方法もできる子供達が工作する場合、図７のごとく紙（８）と発泡スチロール板（７）でブロックを作って置き、セロテープ、ビニールテープで接合できる。
大型の工作を子供達がグループで行なう場合、図８のごとく、発泡スチロール板を丸めて筒（１０）にして発泡スチロール板（９）を取り付けブロックを作って置き、生徒、児童が、クラフトテープ、布テープで完成させる事ができる。
【０００７】
【発明の効果】
本発明は以上のような構造で、ロケット本体が軽いので、より大型のロケットを打ち上げる事が出来る。科学館に展示してある、大きな模型ロケットも、水ロケットのような推力の弱いエンジンで実際に飛ばせる事が可能になった。
現在、直径３０ｃｍ全長４ｍの大型模型が水ロケットによって、５０ｍまで飛ばせる事が出来た実験結果が得られた。
又ロケット本体と、エンジンの比重が大きく変わるため、落下速度に差違を生じ、分離でき、ゴム動力の押し出し板で、分離を積極かつ確実ならしめる事ができた。
ロケット本体が紙や発泡スチロールなので工作の時ペイントしやすい。
学校も週５日制が導入され体感を基調とした、野外のこうした科学実験も増々重要になって来た。
【０００８】
【図面の簡単な説明】
【図１】本発明の斜視図である。
【図２】本発明のエンジン押し出し部の構造図である
【図３】本発明を紙と発泡スチロールにした図である
【図４】本発明を大型にした構造図である
【図５】本発明をゴムをバネにした図である
【図６】本発明のゴムに支持棒を付けた図である
【図７】本発明を工作ブロックにした図である
【図８】本発明を大型工作ブロックにした図である。
【符号の説明】
１．ロケット本体、  ２．筒、  ３．押し出し板  ４．ゴムひも、  ５．割竹、６．ロケットエンジン  ７．発泡スチロール板、  ８．紙、  ９．発泡スチロール板、  １０．筒にした発泡スチロール板、  １１．筒に貼った紙、  １２．バネ、  １３．押し出し板、  １４．ゴムひも、  １５．重力伝達支持棒、１６．押し出し板、  １７．パラシュート
【図１】
2004148085.tif 000003
【図２】
2004148085.tif 000004
【図３】
2004148085.tif 000005
【図４】
2004148085.tif 000006
【図５】
2004148085.tif 000007
【図６】
2004148085.tif 000008
【図７】
2004148085.tif 000009
【図８】
2004148085.tif 000010
(57)【要約】【課題】介護者が搭乗者を抱きかかえて降ろすとき、介護者が楽な姿勢をとることができるよう対応するレックルストを提供する。【解決手段】レッグレスト６がフットレスト２を支持するためのフットレストガイド３に固定された弾性部材からなる一対のレッグアーム７ａ，７ｂと、レッグアーム７ａ，７ｂの先端に設けられたレッグバー９により構成されているので、介護者が搭乗者を抱きかかえようと効き足を搭乗者の足の間に差し入れた時、レッグアーム７ａ，７ｂが撓んでレッグバー９が引っ込むので介護者は効き足をさらに奥の方に差し入れることができる。そのため、介護者は安定した姿勢で搭乗者を抱きかかえることができ腰痛等の身体的損傷を防止することができる。【選択図】        図１
2004148083.tif 000002
【特許請求の範囲】
【請求項１】
レッグレストを有する車椅子において、前記レッグレストがフットレストを支持するためのフットレストガイドに固定された弾性部材からなる一対のレッグアームと、前記レッグアームの先端に設けられたレッグバーにより構成されたことを特徴とする車椅子。
【請求項２】
前記レッグレストが前記レッグアームの先端に固定された円筒面を有するレッグシャフトに回動可能に遊嵌された円筒状レッグバーにより構成されたことを特徴とする請求項１記載の車椅子。
【発明の詳細な説明】
【０００１】
【発明の属する技術分野】
本発明は車椅子に装着されるレッグレストに関し、詳しくは、介護者が搭乗者を介護するときに邪魔にならないレッグレストに関するものである。
【０００２】
【従来の技術】
車椅子に搭乗した人の足が運行中に車椅子の下に入り込まないよう膝下部を保持するためのレッグレストは、レッグパイプに尾錠止めまたはマジックテープ等で固定された布により構成されることが一般に行われている（例えば、特許文献１参照）。
【０００３】
【特許文献１】
実用新案登録第３０７９２５６号公報（図１参照）
【０００４】
【発明が解決しようとする課題】
しかしながら、上述の従来の車椅子においては、介護者が搭乗者を抱きかかえて下ろそうとするとき、搭乗者の足の間に踏み込んだ介護者の足がレッグレストに邪魔されてそれ以上踏み込むことが出来ない。そのため、介護者が無理な姿勢のまま搭乗者を抱きかかえなければならず、腰痛等の身体的損傷の原因になるおそれがある。また、レッグレストを脱着可能に構成することもできるが、取り外しのための余分な動作が必要となり実用性に欠ける。そこで本発明は、介護者が搭乗者を抱きかかえて降ろすとき、介護者が楽な姿勢をとることができるよう対応するレッグレストを提供することを課題とするものである。
【０００５】
【課題を解決するための手段】
前記課題の解決を目的としてなされた請求項１の発明は、レッグレストを有する車椅子において、前記レッグレストがフットレストを支持するためのフットレストガイドに固定された弾性部材からなる一対のレッグアームと、前記レッグアームの先端に設けられたレッグバーにより構成されたことを特徴とする車椅子。また、請求項２の発明は、前記レッグレストが前記レッグアームの先端に固定された円筒面を有するレッグシャフトに回動可能に遊嵌された円筒状レッグバーにより構成されたことを特徴とする。
【０００６】
【発明の実施の形態】
本発明の望ましい実施形態について図面を参照して説明する。図１は本発明の一実施形態に係る車椅子の斜視図、図２はそのレッグレストの拡大斜視図、図３はその車椅子の介護時の側面図である。図１および図２において、車椅子１を構成するフロントフレーム１ａには、フットレスト２を構成するフットレストガイド３が固定されている。フットレストガイド３には電動式の昇降装置４が固定され、昇降装置４の下端に固定されたフットレストプレート５を昇降させるよう構成されている。また、フットレストガイド３にはレックルスト６を構成する一対のレッグアーム７ａ，７ｂが固定されている。
【０００７】
レッグアーム７ａ，７ｂは、例えば、バネ鋼や合成樹脂等の弾力性を有する弾性部材により構成される。レッグアーム７ａ，７ｂに金属を使用する場合は、軟質の合成樹脂等で被覆して安全性を確保する。レッグアーム７ａ，７ｂの先端には、円筒面を有するレッグシャフト８ａ，８ｂが向かい合って固定されている。レッグシャフト８ａ，８ｂには円筒状のレッグバー９が遊嵌されて回動可能に軸支されている。レッグバー９については、材質は軽量および安全性を考慮して合成樹脂製が最適であるが、回動機能については必ずしも限定せずレッグバー９をレッグアーム７ａ，７ｂに直接固定しても良い。
【０００８】
次に、本実施形態の作用について図３を参照して説明する。図３において、電動式の昇降装置４によりフットレストプレート５が最下段に下りた状態で、介護者１０が搭乗者１１を抱きかかえようとするとき、介護者１０の効き足１０ａが搭乗者１１の足１１ａ，１１ｂ（図示せず）の間に差し入れられる。この時、介護者１０の効き足１０ａがレッグバー９（一点鎖線で示す）に当接するが、さらに踏み込むことによりレッグアーム７ａ，７ｂが撓んでレッグバー９が引っ込む（実線で示す）ので介護者１０は効き足１０ａをさらに奥の方に差し込むことができる。そのため、介護者１０は安定した姿勢で搭乗者を抱きかかえることができる。通常時はレッグアーム７ａ，７ｂの復元力によりレッグバー９が通常位置（一点鎖線で示す）に戻るのでレッグバー９により搭乗者の足は安全に保持される。
【０００９】
【発明の効果】
本発明は上述のように構成されているので以下の効果を奏する。すなわち、請求項１の発明においては、レッグレストがフットレストを支持するためのフットレストガイドに固定された弾性部材からなる一対のレッグアームと、レッグアームの先端に設けられたレッグバーにより構成されているので、介護者が搭乗者を抱きかかえようと効き足を搭乗者の足の間に差し入れた時、レッグアームが撓んでレッグバーが引っ込むので介護者は効き足をさらに奥の方に差し入れることができる。そのため、介護者は安定した姿勢で搭乗者を抱きかかえることができ腰痛等の身体的損傷を防止することができる。また、請求項２の発明は、レッグレストがレッグアームの先端に固定された円筒面を有するレッグシャフトに回動可能に遊嵌された円筒状レッグバーにより構成されているので、レッグバーに当接した介護者の足をレッグバーの回転によって、より円滑に奥まで差し入れることができる。
【図面の簡単な説明】
【図１】本発明の一実施形態に係る車椅子の斜視図である。
【図２】本発明の一実施形態に係る車椅子のレッグレストの拡大斜視図である。
【図３】本発明の一実施形態に係る車椅子の介護時の側面図である。
【符号の説明】
１    車椅子
２    フットレスト
３    フットレストガイド
６    レッグレスト
７ａ  レッグアーム
７ｂ  レッグアーム
８ａ  レッグシャフト
８ｂ  レッグシャフト
９    レッグバー
【図１】
2004148083.tif 000003
【図２】
2004148083.tif 000004
【図３】
2004148083.tif 000005
(57)【要約】【目的】この発明は，足の挿入部以外に開口部がなく，下部以外が布で構成された長い靴に関するものである。【構成】靴底１とその側面部２は防水性があり，その上部は布部３で，靴の甲部に固定紐４を設け筒状の足の挿入部５の上部周辺にゴム紐６を内蔵する。【選択図】  図１
2004148081.tif 000002
【特許請求の範囲】
【請求項１】
開口部が足の挿入部のみの下部以外が布製の長靴
【発明の詳細な説明】
この発明は，足の挿入部分以外に開口部がなく，下部以外が布で構成された
長い靴に関するものである。
従来，長靴は水分などのあるところで履くために，全面をゴムなどで被覆して防水性をもたせたものであった。ところが長靴はゴミやほこりの多いところで防塵のために履くことも多い。その場合汗をかきやすく炎天下では高温になることもあり，不快感があり水虫の原因にもなっていた。そこでスニーカーような靴や地下足袋を履くこともあるが，すき間から埃が入り足が汚れる原因になっていた。
本発明は．その欠点を除くために発明されたもので，これを図面について説明すれば，
（イ）靴底１とその側面部２は防水性があり，その上部は目の細かい布部３で，
（ロ）靴の甲部に固定紐４を設け，
（ハ）筒状の足の挿入部５の周辺にゴム紐６が内蔵された伸縮部を設ける。
このようにすれば，靴内にゴミが侵入することがなく，汗がこもることもないので快適である。
なお，固定紐４はマジックテープでもよく，また足の挿入部５の周辺はマジックテープと併用してもよい。
【図面の簡単な説明】
【図１】本発明の斜視図
【図２】本発明の一部を切り欠いた図面
【図３】本発明の固定紐，ゴム紐部分にマジックテープを使用した斜視図
【符号の説明】
１は靴底
２は側面部
３は布部
４は固定紐
５は足の挿入部
６はゴム紐
【図１】
2004148081.tif 000003
【図２】
2004148081.tif 000004
【図３】
2004148081.tif 000005